【手続補正書】
【提出日】平成19年6月4日(2007.6.4)
【手続補正１】
【補正対象書類名】特許請求の範囲
【補正対象項目名】全文
【補正方法】変更
【補正の内容】
【特許請求の範囲】
【請求項１】
原木を両木口面で挟持する回転自在な一対の挟持部材と、
一対の挟持部材の少なくとも一方を回転させる回転機構と、
一対の挟持部材に原木を供給する供給機構と、
供給機構で原木を一対の挟持部材に供給するまでに、該原木の仮芯を演算する第１演算機構と、
原木を挟持した一対の挟持部材を回転機構で少なくとも１回転させて、該原木の旋削芯と該旋削芯を中心とする直径を演算する第２演算機構と、
原木を両木口面で挟持し、一対の挟持部材側からロータリーレース側間の任意な位置に移動自在、且つ前記移動方向に直交する方向の成分を含む方向に夫々移動自在な一対の供給部材と
供給機構で原木を一対の挟持部材に供給する際、第１演算機構で演算した原木の仮芯を一対の挟持部材の回転中心線上より所定距離ずれた位置に一致するように供給機構で一対の挟持部材に供給し、次に原木を挟持した一対の挟持部材を回転機構で少なくとも１回転させて、第２演算機構で原木の旋削芯と該旋削芯を中心とする直径を演算し、次に前記直径がロータリーレースで旋削できる最小直径以上であれば、第２演算機構で演算後の原木を一対の挟持部材からロータリーレースに供給するまでに該原木の旋削芯がロータリーレースのスピンドルの軸芯線上に一致する様に、該原木を一対の供給部材で挟持して一対の挟持部材からロータリーレースに供給し、また前記直径が前記最小直径未満であれば該原木を一対の供給部材で挟持して一対の挟持部材からロータリーレース側に移動させた後、一対の供給部材での該原木の挟持を解放させる制御器と、
で構成する原木芯出し供給装置。
【請求項２】
制御器が、供給機構で原木を一対の挟持部材に供給する際、第１演算機構で演算した原木の仮芯を一対の挟持部材の回転中心線上より供給部材側の方向の成分を含む方向に所定距離ずれた位置に一致するように供給機構で一対の挟持部材に供給し、次に原木を挟持した一対の挟持部材を回転機構で少なくとも１回転させて、第２演算機構で原木の旋削芯と該旋削芯を中心とする直径を演算し、次に前記直径がロータリーレースで旋削できる最小直径以上であれば、第２演算機構で演算後の原木を一対の挟持部材からロータリーレースに供給するまでに該原木の旋削芯がロータリーレースのスピンドルの軸芯線上に一致する様に、該原木を一対の供給部材で挟持して一対の挟持部材からロータリーレースに供給し、また前記直径が前記最小直径未満であれば該原木を一対の供給部材で挟持して一対の挟持部材からロータリーレース側に移動させた後、一対の供給部材での該原木の挟持を解放させるように構成されている請求項１記載の原木芯出し供給装置。
【請求項３】
原木を両木口面で挟持する回転自在な一対の挟持部材と、
一対の挟持部材の少なくとも一方を回転させる回転機構と、
一対の挟持部材に原木を供給する供給機構と、
供給機構で原木を一対の挟持部材に供給するまでに、該原木の第１直径と仮芯を演算する第１演算機構と、
原木を挟持した一対の挟持部材を回転機構で少なくとも１回転させて、該原木の旋削芯と該旋削芯を中心とする第２直径を演算する第２演算機構と、
原木を両木口面で挟持し、一対の挟持部材側からロータリーレース側間の任意な位置に移動自在、且つ前記移動方向に直交する方向の成分を含む方向に夫々移動自在な一対の供給部材と、
供給機構で原木を一対の挟持部材に供給する際、第１演算機構で演算した原木の第１直径が所定直径以上の場合は、該原木の仮芯を一対の挟持部材の回転中心線上に一致するように供給機構で一対の挟持部材に供給し、次に原木を挟持した一対の挟持部材を回転機構で少なくとも１回転させて、第２演算機構で原木の旋削芯と該旋削芯を中心とする第２直径を演算し、次に第２演算機構で演算後の原木を一対の挟持部材からロータリーレースに供給するまでに該原木の旋削芯がロータリーレースのスピンドルの軸芯線上に一致する様に、該原木を一対の供給部材で挟持して一対の挟持部材からロータリーレースに供給し、
また、第１演算機構で演算した原木の第１直径が所定直径未満の場合は、該原木の仮芯を一対の挟持部材の回転中心線上より所定距離ずれた位置に一致するように供給機構で一対の挟持部材に供給し、次に原木を挟持した一対の挟持部材を回転機構で少なくとも１回転させて、第２演算機構で原木の旋削芯と該旋削芯を中心とする第２直径を演算し、次に前記第２直径がロータリーレースで旋削できる最小直径以上であれば、第２演算機構で演算後の原木を一対の挟持部材からロータリーレースに供給するまでに該原木の旋削芯がロータリーレースのスピンドルの軸芯線上に一致する様に、該原木を一対の供給部材で挟持して一対の挟持部材からロータリーレースに供給し、また前記第２直径が前記最小直径未満であれば該原木を一対の供給部材で挟持して一対の挟持部材からロータリーレース側に移動させた後、一対の供給部材での該原木の挟持を解放させる制御器と、
で構成する原木芯出し供給装置。
【請求項４】
制御器が、供給機構で原木を一対の挟持部材に供給する際、第１演算機構で演算した原木の第１直径が所定直径以上の場合は、該原木の仮芯を一対の挟持部材の回転中心線上に一致するように供給機構で一対の挟持部材に供給し、次に原木を挟持した一対の挟持部材を回転機構で少なくとも１回転させて、第２演算機構で原木の旋削芯と該旋削芯を中心とする第２直径を演算し、次に第２演算機構で演算後の原木を一対の挟持部材からロータリーレースに供給するまでに該原木の旋削芯がロータリーレースのスピンドルの軸芯線上に一致する様に、該原木を一対の供給部材で挟持して一対の挟持部材からロータリーレースに供給し、
また、第１演算機構で演算した原木の第１直径が所定直径未満の場合は、該原木の仮芯を一対の挟持部材の回転中心線上より供給部材側の方向の成分を含む方向に所定距離ずれた位置に一致するように供給機構で一対の挟持部材に供給し、次に原木を挟持した一対の挟持部材を回転機構で少なくとも１回転させて、第２演算機構で原木の旋削芯と該旋削芯を中心とする第２直径を演算し、次に前記第２直径がロータリーレースで旋削できる最小直径以上であれば、第２演算機構で演算後の原木を一対の挟持部材からロータリーレースに供給するまでに該原木の旋削芯がロータリーレースのスピンドルの軸芯線上に一致する様に、該原木を一対の供給部材で挟持して一対の挟持部材からロータリーレースに供給し、また前記第２直径が前記最小直径未満であれば該原木を一対の供給部材で挟持して一対の挟持部材からロータリーレース側に移動させた後、一対の供給部材での該原木の挟持を解放させるように構成されている請求項３記載の原木芯出し供給装置。
【手続補正２】
【補正対象書類名】明細書
【補正対象項目名】０００２
【補正方法】変更
【補正の内容】
【０００２】
従来の原木芯出し装置としては、例えば特許文献１に示すように、芯出し用スピンドル２９間への原木７の供給は、昇降可能に設けられたＶ字フレーム（図示せず）により仮り芯出しされて供給、又は公知のログチャージャー（図示せず）により供給され、次に第２作動部材３５を作動して芯出し用スピンドル２９を互いに近接する方向へ移動させ、原木７を挟持させる。次に芯出し用スピンドル２９を少なくとも１回転させて、原木の両木口に想定される芯を演算する。次に原木の両木口面に想定される芯を旋削用スピンドル９の回転中心Ｐに一致させている。 
【特許文献１】特開２０００−７９６０４号公報
【手続補正３】
【補正対象書類名】明細書
【補正対象項目名】０００４
【補正方法】変更
【補正の内容】
【０００４】
本発明は、上記した従来の問題点を解決するために発明されたものであり、原木を両木口面で挟持する回転自在な一対の挟持部材と、一対の挟持部材の少なくとも一方を回転させる回転機構と、一対の挟持部材に原木を供給する供給機構と、供給機構で原木を一対の挟持部材に供給するまでに、該原木の仮芯を演算する第１演算機構と、 原木を挟持した一対の挟持部材を回転機構で少なくとも１回転させて、該原木の旋削芯と該旋削芯を中心とする直径を演算する第２演算機構と、原木を両木口面で挟持し、一対の挟持部材側からロータリーレース側間の任意な位置に移動自在、且つ前記移動方向に直交する方向の成分を含む方向に夫々移動自在な一対の供給部材と、供給機構で原木を一対の挟持部材に供給する際、第１演算機構で演算した原木の仮芯を一対の挟持部材の回転中心線上より所定距離ずれた位置に一致するように供給機構で一対の挟持部材に供給し、次に原木を挟持した一対の挟持部材を回転機構で少なくとも１回転させて、第２演算機構で原木の旋削芯と該旋削芯を中心とする直径を演算し、次に前記直径がロータリーレースで旋削できる最小直径以上であれば、第２演算機構で演算後の原木を一対の挟持部材からロータリーレースに供給するまでに該原木の旋削芯がロータリーレースのスピンドルの軸芯線上に一致する様に、該原木を一対の供給部材で挟持して一対の挟持部材からロータリーレースに供給し、また前記直径が前記最小直径未満であれば該原木を一対の供給部材で挟持して一対の挟持部材からロータリーレース側に移動させた後、一対の供給部材での該原木の挟持を解放させる制御器と、で構成する。
この場合、制御器を、供給機構で原木を一対の挟持部材に供給する際、第１演算機構で演算した原木の仮芯を一対の挟持部材の回転中心線上より供給部材側の方向の成分を含む方向に所定距離ずれた位置に一致するように供給機構で一対の挟持部材に供給し、次に原木を挟持した一対の挟持部材を回転機構で少なくとも１回転させて、第２演算機構で原木の旋削芯と該旋削芯を中心とする直径を演算し、次に前記直径がロータリーレースで旋削できる最小直径以上であれば、第２演算機構で演算後の原木を一対の挟持部材からロータリーレースに供給するまでに該原木の旋削芯がロータリーレースのスピンドルの軸芯線上に一致する様に、該原木を一対の供給部材で挟持して一対の挟持部材からロータリーレースに供給し、また前記直径が前記最小直径未満であれば該原木を一対の供給部材で挟持して一対の挟持部材からロータリーレース側に移動させた後、一対の供給部材での該原木の挟持を解放させるように構成しても良い。
一方、原木を両木口面で挟持する回転自在な一対の挟持部材と、一対の挟持部材の少なくとも一方を回転させる回転機構と、一対の挟持部材に原木を供給する供給機構と、供給機構で原木を一対の挟持部材に供給するまでに、該原木の第１直径と仮芯を演算する第１演算機構と、原木を挟持した一対の挟持部材を回転機構で少なくとも１回転させて、該原木の旋削芯と該旋削芯を中心とする第２直径を演算する第２演算機構と、原木を両木口面で挟持し、一対の挟持部材側からロータリーレース側間の任意な位置に移動自在、且つ前記移動方向に直交する方向の成分を含む方向に夫々移動自在な一対の供給部材と、供給機構で原木を一対の挟持部材に供給する際、第１演算機構で演算した原木の第１直径が所定直径以上の場合は、該原木の仮芯を一対の挟持部材の回転中心線上に一致するように供給機構で一対の挟持部材に供給し、次に原木を挟持した一対の挟持部材を回転機構で少なくとも１回転させて、第２演算機構で原木の旋削芯と該旋削芯を中心とする第２直径を演算し、次に第２演算機構で演算後の原木を一対の挟持部材からロータリーレースに供給するまでに該原木の旋削芯がロータリーレースのスピンドルの軸芯線上に一致する様に、該原木を一対の供給部材で挟持して一対の挟持部材からロータリーレースに供給し、また、第１演算機構で演算した原木の第１直径が所定直径未満の場合は、該原木の仮芯を一対の挟持部材の回転中心線上より所定距離ずれた位置に一致するように供給機構で一対の挟持部材に供給し、次に原木を挟持した一対の挟持部材を回転機構で少なくとも１回転させて、第２演算機構で原木の旋削芯と該旋削芯を中心とする第２直径を演算し、次に前記第２直径がロータリーレースで旋削できる最小直径以上であれば、第２演算機構で演算後の原木を一対の挟持部材からロータリーレースに供給するまでに該原木の旋削芯がロータリーレースのスピンドルの軸芯線上に一致する様に、該原木を一対の供給部材で挟持して一対の挟持部材からロータリーレースに供給し、また前記第２直径が前記最小直径未満であれば該原木を一対の供給部材で挟持して一対の挟持部材からロータリーレース側に移動させた後、一対の供給部材での該原木の挟持を解放させる制御器とで構成しても良い。
この場合、制御器を、供給機構で原木を一対の挟持部材に供給する際、第１演算機構で演算した原木の第１直径が所定直径以上の場合は、該原木の仮芯を一対の挟持部材の回転中心線上に一致するように供給機構で一対の挟持部材に供給し、次に原木を挟持した一対の挟持部材を回転機構で少なくとも１回転させて、第２演算機構で原木の旋削芯と該旋削芯を中心とする第２直径を演算し、次に第２演算機構で演算後の原木を一対の挟持部材からロータリーレースに供給するまでに該原木の旋削芯がロータリーレースのスピンドルの軸芯線上に一致する様に、該原木を一対の供給部材で挟持して一対の挟持部材からロータリーレースに供給し、また、第１演算機構で演算した原木の第１直径が所定直径未満の場合は、該原木の仮芯を一対の挟持部材の回転中心線上より供給部材側の方向の成分を含む方向に所定距離ずれた位置に一致するように供給機構で一対の挟持部材に供給し、次に原木を挟持した一対の挟持部材を回転機構で少なくとも１回転させて、第２演算機構で原木の旋削芯と該旋削芯を中心とする第２直径を演算し、次に前記第２直径がロータリーレースで旋削できる最小直径以上であれば、第２演算機構で演算後の原木を一対の挟持部材からロータリーレースに供給するまでに該原木の旋削芯がロータリーレースのスピンドルの軸芯線上に一致する様に、該原木を一対の供給部材で挟持して一対の挟持部材からロータリーレースに供給し、また前記第２直径が前記最小直径未満であれば該原木を一対の供給部材で挟持して一対の挟持部材からロータリーレース側に移動させた後、一対の供給部材での該原木の挟持を解放させるように構成しても良い。
尚、所定直径は最小直径より大きいとする。